(57)【要約】【課題】本発明の目的は、施設の利用者の健康管理を自動的に行うことができる健康管理システムを提供することである。【解決手段】健康管理システム１は、重量測定装置１１と、監視カメラ１２と、記憶部２１と、判定部２２と、体重記録部２３とを備える。重量測定装置は、健康管理が必要な特定利用者が利用する施設１０の床に設置され、計量データを取得する。監視カメラは、施設内に設置され、重量測定装置が設置されている床の周辺の画像である床画像を取得する。記憶部は、特定利用者の顔データおよび体重データを記憶する。判定部は、監視カメラによって取得された床画像に、記憶部に記憶される顔データに適合する特定利用者が含まれているか否かを判定する。体重記録部は、判定部の判定に基づいて、重量測定装置が取得した計量データから特定利用者の体重を算出して、特定利用者の体重データを記憶部に記録する。【選択図】図１
2015099439.tif 000002
【特許請求の範囲】
【請求項１】
健康管理が必要な特定利用者が利用する施設の床に設置され、計量データを取得する計量部と、
前記施設内に設置され、前記計量部が設置されている前記床の周辺の画像である床画像を取得する撮像部と、
前記特定利用者の顔データおよび体重データを記憶する記憶部と、
前記撮像部によって取得された前記床画像に、前記記憶部に記憶される前記顔データに適合する前記特定利用者が含まれているか否かを判定する判定部と、
前記判定部の判定に基づいて、前記計量部が取得した前記計量データから前記特定利用者の体重を算出して、前記特定利用者の前記体重データを前記記憶部に記録する体重記録部と、
を備える、健康管理システム。
【請求項２】
前記体重記録部は、前記特定利用者、および、前記特定利用者ではない者が共に前記床画像に含まれていると前記判定部が判定した場合において、前記特定利用者の前記体重データを前記記憶部に記録しない、
請求項１に記載の健康管理システム。
【請求項３】
前記記憶部は、前記特定利用者ではない前記施設の関係者の顔データおよび体重データをさらに記憶し、
前記体重記録部は、前記特定利用者および前記関係者が共に前記床画像に含まれていると前記判定部が判定した場合において、前記計量部が取得した前記計量データ、および、前記記憶部に記憶される前記関係者の前記体重データに基づいて、前記特定利用者の体重を算出して、前記特定利用者の前記体重データを前記記憶部に記録する、
請求項１に記載の健康管理システム。
【請求項４】
前記体重記録部は、前記関係者が前記床画像に含まれていると前記判定部が判定した場合において、前記計量部が取得した前記計量データに基づいて、前記関係者の体重を算出して、前記関係者の前記体重データを前記記憶部にさらに記録する、
請求項３に記載の健康管理システム。
【発明の詳細な説明】
【技術分野】
【０００１】
本発明は、健康管理システムに関する。
【背景技術】
【０００２】
従来、病院および老人ホーム等の施設において、入院患者および徘徊癖がある人等の監視対象者が、許可を得ずに施設外に出ることを防止するシステムが用いられている。例えば、特許文献１（特開２０１３−９２８４７号公報）には、監視対象者に発信機を持たせ、発信機が発信する電波を受信する受信機を施設内に設置するシステムが開示されている。このシステムは、監視対象者が監視エリアの外に出た場合に受信機が受信する電波強度が異常に低下することを利用して、監視対象者が監視エリアの外に出たことを検知する。
【発明の概要】
【発明が解決しようとする課題】
【０００３】
このような施設では、監視対象者の健康管理を行うために、監視対象者の体重が測定して記録される。しかし、施設内の監視対象者全員の体重を定期的に測定して記録することは難しく、監視対象者の健康管理を自動的に行うことができるシステムの開発が望まれている。
【０００４】
本発明に係る健康管理システムは、施設の利用者の健康管理を自動的に行うことができる。
【課題を解決するための手段】
【０００５】
本発明に係る健康管理システムは、計量部と、撮像部と、記憶部と、判定部と、体重記録部とを備える。計量部は、健康管理が必要な特定利用者が利用する施設の床に設置され、計量データを取得する。撮像部は、施設内に設置され、計量部が設置されている床の周辺の画像である床画像を取得する。記憶部は、特定利用者の顔データおよび体重データを記憶する。判定部は、撮像部によって取得された床画像に、記憶部に記憶される顔データに適合する特定利用者が含まれているか否かを判定する。体重記録部は、判定部の判定に基づいて、計量部が取得した計量データから特定利用者の体重を算出して、特定利用者の体重データを記憶部に記録する。
【０００６】
本発明に係る健康管理システムは、予め、施設の特定利用者の顔データを記憶しておく。特定利用者は、健康管理が必要な施設の利用者である。施設が病院である場合、特定利用者は、例えば、入院患者である。施設内には、通路等の床に埋設された重量測定装置と、その床の上を通過する人物を撮像する監視カメラが設置されている。この健康管理システムは、監視カメラが撮像した画像に特定利用者が含まれているか否かを、特定利用者の顔データに基づいて判定する。そして、監視カメラが撮像した画像に特定利用者が含まれていると判定された場合、重量測定装置の計量データに基づいて、重量測定装置が埋設された床の上の特定利用者の体重が算出されて記録される。従って、この健康管理システムは、特定利用者の体重を自動的に測定することができ、施設の利用者の健康管理を自動的に行うことができる。
【０００７】
本発明に係る健康管理システムでは、体重記録部は、特定利用者、および、特定利用者ではない者が共に床画像に含まれていると判定部が判定した場合において、特定利用者の体重データを記憶部に記録しないことが好ましい。
【０００８】
この健康管理システムでは、監視カメラが撮像した画像に特定利用者、および、特定利用者ではない者が共に含まれていると判定された場合、特定利用者の体重が算出できないと判断される。従って、この健康管理システムは、特定利用者の不正確な体重が記録されることを防止することができる。
【０００９】
本発明に係る健康管理システムでは、記憶部は、特定利用者ではない施設の関係者の顔データおよび体重データをさらに記憶することが好ましい。体重記録部は、特定利用者および関係者が共に床画像に含まれていると判定部が判定した場合において、計量部が取得した計量データ、および、記憶部に記憶される関係者の体重データに基づいて、特定利用者の体重を算出して、特定利用者の体重データを記憶部に記録する。
【００１０】
この健康管理システムは、予め、施設の関係者の顔データおよび体重データを記憶しておく。そして、監視カメラが撮像した画像に特定利用者、および、施設の関係者が共に含まれていると判定された場合、重量測定装置の計量データ、および、施設の関係者の体重データに基づいて、特定利用者の体重が算出されて記録される。例えば、監視カメラが撮像した画像に特定利用者および施設の関係者のみが含まれている場合、重量測定装置によって測定された重量から、施設の関係者の体重を減じることで、特定利用者の体重が算出される。従って、この健康管理システムは、監視カメラが撮像した画像に施設の関係者が含まれている場合であっても、特定利用者の体重を自動的に測定することができるので、特定利用者の体重を高い頻度で測定することができる。
【００１１】
本発明に係る健康管理システムでは、体重記録部は、関係者が床画像に含まれていると判定部が判定した場合において、計量部が取得した計量データに基づいて、関係者の体重を算出して、関係者の体重データを記憶部にさらに記録することが好ましい。
【００１２】
この健康管理システムでは、監視カメラが撮像した画像に施設の関係者が含まれていると判定された場合、重量測定装置の計量データに基づいて、重量測定装置が埋設された床の上の施設の関係者の体重が算出されて記録される。従って、この健康管理システムは、施設の関係者の体重を自動的に測定することができる。
【発明の効果】
【００１３】
本発明に係る健康管理システムは、施設の利用者の健康管理を自動的に行うことができる。
【図面の簡単な説明】
【００１４】
【図１】本発明の実施形態に係る健康管理システムを採用している施設の見取り図である。
【図２】管理サーバのブロック図である。
【発明を実施するための形態】
【００１５】
本発明の実施形態について、図面を参照しながら説明する。以下に説明される実施形態は、本発明の具体例の一つであって、本発明の技術的範囲を限定するものではない。
【００１６】
（１）健康管理システムの構成
本実施形態に係る健康管理システム１は、病院および老人ホーム等の施設１０で採用される。健康管理システム１は、施設１０の特定の利用者の体重を自動的に測定する。具体的には、施設１０が病院である場合、健康管理システム１は、入院患者の体重を自動的に測定および記録して、入院患者の健康管理のために利用する。
【００１７】
図１は、本実施形態に係る健康管理システム１を採用している施設１０の見取り図である。図１は、実際の施設１０の一部の概略的な見取り図である。図１には、健康管理システム１を構成するために必要な最低限の要素のみが示されている。施設１０は、主として、重量測定装置１１、監視カメラ１２および管理サーバ１３を備える。施設１０は、利用エリア１０ａと、通路エリア１０ｂと、管理エリア１０ｃとに区画されている。利用エリア１０ａは、特定利用者が居住したり一時的に滞在したりするエリアである。特定利用者は、施設１０の関係者によって予め指定された、施設１０の利用者である。通路エリア１０ｂは、利用エリア１０ａから移動する際に特定利用者が通過するエリアである。利用エリア１０ａと通路エリア１０ｂとの境界には、扉１０ｄが設置されている。特定利用者は、扉１０ｄを通過して、利用エリア１０ａと通路エリア１０ｂとの間を自由に行き来することができる。管理エリア１０ｃは、施設１０の管理者専用のエリアである。管理エリア１０ｃと通路エリア１０ｂとの境界には、扉１０ｅが設置されている。施設１０の管理者は、扉１０ｅを通過して、管理エリア１０ｃと通路エリア１０ｂとの間を自由に行き来することができる。しかし、特定利用者は、扉１０ｅを通過することが許可されていない。
【００１８】
（１−１）重量測定装置
重量測定装置１１は、施設１０内において、特定利用者がよく通過する場所の床に埋設されている。図１では、重量測定装置１１は、通路エリア１０ｂにおいて、扉１０ｄの付近の床に埋設されている。重量測定装置１１は、それが埋設されている床の上を通過する人物、および、その床の上にいる人物の重量を測定するための装置である。重量測定装置１１は、それに加えられた力の大きさ等に基づいて計量データを取得する。重量測定装置１１は、管理サーバ１３と通信可能に接続されている。
【００１９】
（１−２）監視カメラ
監視カメラ１２は、施設１０内において、重量測定装置１１の周辺に設置されるカメラである。監視カメラ１２は、重量測定装置１１が埋設されている床の周辺の画像である床画像を撮像する。監視カメラ１２は、重量測定装置１１が埋設されている床の上にいる人物を監視する。監視カメラ１２は、管理サーバ１３と通信可能に接続されている。監視カメラ１２によって撮像された映像は、管理サーバ１３に送られる。
【００２０】
（１−３）管理サーバ
管理サーバ１３は、管理エリア１０ｃに設置されるコンピュータである。管理サーバ１３は、施設１０の管理者によって操作される。図２は、管理サーバ１３のブロック図である。管理サーバ１３は、主として、記憶部２１と、判定部２２と、体重記録部２３と、通信部２４とから構成される。
【００２１】
記憶部２１は、施設１０の利用者を特定利用者として登録し、特定利用者の個人情報、顔データおよび体重データを記憶する。施設１０の関係者は、施設１０の利用者の内、所定の条件を満たす利用者を特定利用者として抽出して、記憶部２１に登録する。また、施設１０の関係者は、管理サーバ１３等のコンピュータを用いて、施設１０の利用者の内、所定の条件を満たす利用者を特定利用者として自動的に抽出して、記憶部２１に登録してもよい。記憶部２１は、施設１０の関係者によって入力された特定利用者の顔写真に基づいて、特定利用者の顔の画像を顔データとして記憶する。また、記憶部２１は、特定利用者の顔の画像から、顔のパーツの相対位置および大きさ等の特徴を予め抽出して、顔データとして記憶してもよい。特定利用者の個人情報は、例えば、特定利用者の名前、住所および識別番号である。特定利用者の体重データは、特定利用者の体重に関するデータである。管理サーバ１３は、記憶部２１を参照することにより、特定利用者の個人情報、顔データおよび体重データを取得することができる。
【００２２】
判定部２２は、記憶部２１に記憶されている特定利用者の顔データ、および、監視カメラ１２によって取得された床画像に基づいて、床画像に含まれている人物が特定利用者であるか否かを判定する。判定部２２は、顔認証ソフトウェアの機能を有する。
【００２３】
体重記録部２３は、判定部２２の判定に基づいて、重量測定装置１１が取得した計量データから特定利用者の体重を算出して、特定利用者の体重データを記憶部２１に記録する。具体的には、判定部２２が、床画像に含まれている人物が特定利用者であると判定した場合に、体重記録部２３は、重量測定装置１１が取得した計量データを利用して、特定利用者の体重を算出する。例えば、床画像に含まれている人物が特定利用者のみであると判定された場合、体重記録部２３は、重量測定装置１１によって測定された重量を、特定利用者の体重として記録する。
【００２４】
通信部２４は、管理サーバ１３のネットワークインターフェイス機器である。通信部２５は、重量測定装置１１および監視カメラ１２と、有線または無線の通信回線を介して接続されている。管理サーバ１３は、重量測定装置１１が取得した計量データを受信する機能、および、監視カメラ１２の向きを変更する機能等を有する。
【００２５】
（２）健康管理システムの動作
本実施形態に係る健康管理システム１によって、特定利用者の健康管理を行う工程について説明する。施設１０の特定利用者は、通常、施設１０内に滞在している。施設１０の利用エリア１０ａおよび通路エリア１０ｂにおいて、特定利用者の移動は制限されていない。特定利用者が、重量測定装置１１が埋設されている床の上を通過するか、その床の上に載っている時、監視カメラ１２は、特定利用者を撮像している。管理サーバ１３は、特定利用者の顔データに適合する顔の画像が、監視カメラ１２が取得した床画像に含まれていることを検出すると、重量測定装置１１が取得した計量データから、特定利用者の体重を算出する。そして、管理サーバ１３は、算出された特定利用者の体重を、算出された日時等と共に記録して、特定利用者の健康管理に利用する。
【００２６】
（３）健康管理システムの特徴
本発明に係る健康管理システム１は、施設１０内の特定の利用者の体重を自動的に測定するシステムである。施設１０は、例えば、病院および老人ホームである。以下、施設１０が病院である場合について説明する。
【００２７】
健康管理システム１は、予め、施設１０の特定利用者の顔データを管理サーバ１３に記憶しておく。特定利用者は、健康管理が必要な入院患者等である。施設１０の利用エリア１０ａは、例えば、特定利用者が利用する病室である。施設１０の通路エリア１０ｂは、例えば、利用エリア１０ａの前の廊下である。図１に示されるように、重量測定装置１１は、特定利用者が高い頻度で通過する、扉１０ｄの周辺の床に埋設されている。
【００２８】
施設１０内において、重量測定装置１１の周辺には監視カメラ１２が設置されている。監視カメラ１２は、重量測定装置１１が埋設されている床の上の空間を撮像して、重量測定装置１１の上方にいる人物を監視する。管理サーバ１３は、監視カメラ１２が撮像した床画像に、特定利用者が含まれているか否かを、特定利用者の顔データに基づいて判定する。そして、監視カメラ１２が取得した床画像に特定利用者が含まれていると判定された場合、管理サーバ１３は、重量測定装置１１が取得した計量データから、特定利用者の体重を算出して記録する。従って、管理サーバ１３は、施設１０内において特定利用者の体重を自動的に測定して、特定利用者の健康管理を自動的に行うことができる。
【００２９】
（４）変形例
以上、本発明の実施形態について説明したが、本発明の具体的構成は、本発明の要旨を逸脱しない範囲内で変更可能である。次に、本実施形態に対する適用可能な変形例について説明する。
【００３０】
（４−１）変形例Ａ
本実施形態に係る健康管理システム１では、管理サーバ１３の体重記録部２３は、監視カメラ１２が取得した床画像に特定利用者が含まれていると判定された場合に、重量測定装置１１が取得した計量データから特定利用者の体重を算出する。しかし、体重記録部２３は、特定利用者、および、特定利用者ではない者が共に床画像に含まれていると判定された場合に、特定利用者の体重データを算出しなくてもよい。この場合、管理サーバ１３の記憶部２１には、特定利用者の体重データが記録されない。
【００３１】
本変形例では、管理サーバ１３は、監視カメラ１２が撮像した画像に特定利用者、および、特定利用者ではない者が共に含まれている場合に、特定利用者の体重を算出できないと判断する。従って、この健康管理システム１は、特定利用者の不正確な体重が記録されることを防止することができる。
【００３２】
（４−２）変形例Ｂ
本実施形態に係る健康管理システム１では、管理サーバ１３の記憶部２１は、予め、特定利用者の個人情報、顔データおよび体重データを記憶している。しかし、記憶部２１は、予め、特定利用者ではない施設１０の関係者の顔データおよび体重データをさらに記憶していてもよい。施設１０が病院であり、特定利用者が施設１０に入院している患者である場合、施設１０の関係者は、特定利用者の介護者、および、施設１０で勤務している看護士等である。
【００３３】
本変形例では、予め、施設１０の関係者の顔データおよび体重データを管理サーバ１３に記憶しておく。管理サーバ１３の体重記録部２３は、監視カメラ１２が撮像した画像に特定利用者、および、施設１０の関係者が共に含まれていると判定された場合に、重量測定装置１１の計量データ、および、施設１０の関係者の体重データに基づいて、特定利用者の体重を算出する。具体的には、体重記録部２３は、監視カメラ１２が撮像した画像に特定利用者および施設１０の関係者のみが含まれている場合に、重量測定装置１１によって測定された重量から、施設１０の関係者の体重を減じることで、特定利用者の体重を算出する。従って、この健康管理システム１は、監視カメラ１２が撮像した画像に施設１０の関係者が含まれている場合であっても、特定利用者の体重を自動的に測定して記録することができるので、特定利用者の体重を高い頻度で測定することができる。
【００３４】
（４−３）変形例Ｃ
変形例Ｂに係る健康管理システム１では、管理サーバ１３の記憶部２１は、特定利用者ではない施設１０の関係者の顔データおよび体重データをさらに記憶する。しかし、管理サーバ１３の体重記録部２３は、重量測定装置１１を利用して施設１０の関係者の体重を算出し、施設１０の関係者の体重データを記憶部２１にさらに記録してもよい。
【００３５】
本変形例では、管理サーバ１３は、監視カメラ１２が撮像した画像に施設１０の関係者のみが含まれていると判定した場合に、重量測定装置１１の計量データに基づいて、重量測定装置１１が埋設されている床の上の施設１０の関係者の体重を算出して記録する。これにより、この健康管理システム１は、施設１０の関係者の体重を自動的に測定して、施設１０の関係者の体重データを自動的に更新することができる。変形例Ｂで説明されているように、施設１０の関係者の体重データは、特定利用者の体重の算出に利用することができる。従って、この健康管理システム１は、監視カメラ１２が撮像した画像に施設１０の関係者が含まれている場合であっても、特定利用者の体重を自動的に測定して記録することができるので、特定利用者の体重を高い頻度で測定することができる。また、この健康管理システム１は、施設１０の関係者の体重データを自動的に記録することで、施設１０の関係者の健康管理を自動的に行うことができる。
【００３６】
（４−４）変形例Ｄ
本実施形態に係る健康管理システム１では、図１に示されるように、重量測定装置１１は、施設１０内の通路エリア１０ｂに設置されている。しかし、重量測定装置１１は、施設１０内の他の場所に設置されてもよい。
【００３７】
例えば、施設１０が病院であり、特定利用者が施設１０の入院患者であり、利用エリア１０ａが特定利用者によって利用される病室である場合、利用エリア１０ａに重量測定装置１１が設置されてもよい。この場合、重量測定装置１１は、例えば、利用エリア１０ａに設置される入院患者用のベッドの付近の床に埋設されている。また、利用エリア１０ａには、重量測定装置１１が埋設されている床の上にいる人物を監視する監視カメラ１２が設置されている。
【００３８】
（４−５）変形例Ｅ
本実施形態に係る健康管理システム１では、図１に示されるように、重量測定装置１１が埋設されている床の周辺には、１つの監視カメラ１２が設置されている。しかし、重量測定装置１１が埋設されている床の周辺には、複数の監視カメラ１２が設置されてもよい。
【００３９】
また、施設１０内には、複数の重量測定装置１１が設置されてもよい。この場合、各重量測定装置１１の周辺には、少なくとも１つの監視カメラ１２が設置される。
【符号の説明】
【００４０】
１      健康管理システム
１０      施設
１１      重量測定装置（計量部）
１２      監視カメラ（撮像部）
１３      管理サーバ
２１      記憶部
２２      判定部
２３      体重記録部
【先行技術文献】
【特許文献】
【００４１】
【特許文献１】特開２０１３−９２８４７号公報
【図１】
2015099439.tif 000003
【図２】
2015099439.tif 000004